(57)【要約】  スライドファスナー用スライダー（１００）は、上翼板（１１０）と下翼板（１２０）が連結柱（１３０）を介して前側で連結したスライダー胴体（１０５）を備える。上翼板（１１０）の前端部（１１１）には、スライダー胴体（１０５）の前口（１０６）側から後口（１０７）側に向かうに応じて下翼板（１２０）側に下る下り傾斜面（１１５）が設けられる。下翼板（１２０）の前端部（１２１）には、スライダー胴体（１０５）の前口（１０６）側から後口（１０７）側に向かうに応じて上翼板（１１０）側に上る上り傾斜面（１２５）が設けられる。上翼板（１１０）の下り傾斜面（１１５）が下翼板（１２０）の上り傾斜面（１２５）よりも急勾配である。
2015097793.tif 000002
【特許請求の範囲】
【請求項１】
上翼板（１１０）と下翼板（１２０）が連結柱（１３０）を介して前側で連結し、前記連結柱（１３０）により分岐される一対のファスナーエレメント（２３０）用の通路が前記上翼板（１１０）と前記下翼板（１２０）の間に設けられたスライダー胴体（１０５）を備えるスライドファスナー用スライダー（１００）であって、
前記上翼板（１１０）の前端部（１１１）において、前記スライダー胴体（１０５）の前口（１０６）側から後口（１０７）側に向かうに応じて前記下翼板（１２０）側に下る下り傾斜面（１１５）が前記連結柱（１３０）の左右両側に設けられ、
前記下翼板（１２０）の前端部（１２１）において、前記スライダー胴体（１０５）の前口（１０６）側から後口（１０７）側に向かうに応じて前記上翼板（１１０）側に上る上り傾斜面（１２５）が前記連結柱（１３０）の左右両側に設けられ、
左右両側において前記上翼板（１１０）の前記下り傾斜面（１１５）が前記下翼板（１２０）の前記上り傾斜面（１２５）よりも急勾配である、スライドファスナー用スライダー。
【請求項２】
前記スライダー胴体１０５の前記通路の内面に平行な平面に対して前記下り傾斜面（１１５）がなす角度をθ１とし、前記通路の内面に平行な平面に対して前記上り傾斜面（１２５）がなす角度をθ２とする時、１．５≦θ１／θ２≦２を満足する、請求項１に記載のスライドファスナー用スライダー。
【請求項３】
前記上翼板（１１０）の厚み方向に沿う前記下り傾斜面（１１５）の上下端位置の間隔（ＴＨ１１５）が前記下翼板（１２０）の厚み方向に沿う前記上り傾斜面（１２５）の上下端位置の間隔（ＴＨ１２５）よりも大きい、請求項１又は２に記載のスライドファスナー用スライダー。
【請求項４】
前記下り傾斜面（１１５）の下り長さが前記上り傾斜面（１２５）の上り長さよりも長い、請求項１乃至３のいずれか一項に記載のスライドファスナー用スライダー。
【請求項５】
前記上翼板（１１０）には前記スライダー胴体（１０５）の前口（１０６）側から後口（１０７）側に延びて前記ファスナーエレメント（２３０）を左右から規制する一対の上部フランジ部（１１８）が設けられ、
各下り傾斜面（１１５）が、前記連結柱（１３０）と前記上部フランジ部（１１８）の間に亘る範囲に設けられる、請求項１乃至４のいずれか一項に記載のスライドファスナー用スライダー。
【請求項６】
前記下翼板（１２０）には前記スライダー胴体（１０５）の前口（１０６）側から後口（１０７）側に延びて前記ファスナーエレメント（２３０）を左右から規制する一対の下部フランジ部（１２８）が設けられ、
各上り傾斜面（１２５）が、少なくとも前記連結柱（１３０）と前記下部フランジ部（１２８）の間に亘る範囲に設けられる、請求項５に記載のスライドファスナー用スライダー。
【請求項７】
請求項１乃至６のいずれか一項に記載のスライドファスナー用スライダー（１００）と、
前記スライドファスナー用スライダー（１００）により開閉される一対のファスナーストリンガー（２００）を備えるスライドファスナー。
【発明の詳細な説明】
【技術分野】
【０００１】
本開示は、上翼板と下翼板間の上下間隔が上り傾斜面及び下り傾斜面により前口側で狭められたスライドファスナー用スライダーに関し、またこれを備えるスライドファスナーに関する。
【背景技術】
【０００２】
特許文献１には、同文献の図２及び図３に開示のように、連結柱１３の中心２０よりも前方に上板１１と下板１２の端縁を突出させ、かつこの突出部分の内面に傾斜面２３、２４を設けることが開示されている。同文献では、かかる構成により、同文献の図１に示す形態のスライドファスナー用スライダーを用いる場合の問題、つまりファスナーエレメントの転びによりファスナーエレメントの噛合頭部が上板に衝突してスライダーの移動が阻害されることを回避できると説明され、これによりスライダーの移動の容易化が促進される。同文献の図１のスライドファスナー用スライダーは、図示のように連結柱３が前方に突出して設けられ、その左右の上板及び下板の端縁が後退して設けられている。【０００３】
特許文献２には、同文献の図１及び図２に開示のように、各上板及び下板が、同文献の図１及び図２の態様で設けられた傾斜面２０、２０’を有するスライドファスナー用スライダーが開示されている。同文献の第２欄の４５行以降には、傾斜面２０、２０’が連結柱１５側で急勾配であり、フランジ１３側に向って勾配が減少すると説明されている。また、このようにスライダーの傾斜面を形成することにより、エレメントを回転させて適切に配置し、各開口に円滑に進入させて独立の簡単な噛合が確保される、と説明されている。
【先行技術文献】
【特許文献】
【０００４】
【特許文献１】実公昭６３−３３５２７号公報
【特許文献２】米国特許第２，５６８，１６３号明細書
【発明の概要】
【発明が解決しようとする課題】
【０００５】
ファスナーテープの縫着態様に起因して、左右のファスナーエレメントが同一平面内で隣り合ってファスナーエレメントの先端面同士が平行に対面した平行対面状態ではなく、その平行対面状態から左右のファスナーエレメントが所定の角度だけ上下同じ側かつ左右反対側に回動してファスナーエレメントの先端面同士が非平行になった非平行状態にあるスライドファスナーを円滑に閉鎖することが要求される場合がある。非限定的かつ例示的には、通常の織組織のファスナーテープよりも低柔軟性の所定厚の皮革に対してファスナーテープを縫着する場合、ファスナーテープが縫着された皮革部分の配向に従ってファスナーエレメントが配向されてしまう傾向があり、これは、ファスナーエレメント列と皮革の左右方向の間の間隔が狭ければ狭いほど顕著になる。なぜなら、ファスナーエレメント列と皮革の間の間隔が狭ければ狭いほど、ファスナーテープの柔軟性の利点を享受することができないためである。なお、ファスナーエレメント列と皮革の間の間隔の減少によりファスナーテープの露出が減少するという意匠的な効果がある。【０００６】
より簡便な理解のために例示的に説明すれば、同一の第１平面内に配置された２つの皮革の間にスライドファスナーを設けるのではなく、第１平面に対して垂直に交差して互いに離間した第２及び第３平面に配置された２つの皮革の上端部間にスライドファスナーを設ける場合を想定する。第１平面が横方向に沿って存在し、第２及び第３平面が縦方向に沿って存在すると理解する場合、皮革の縦配向に応じてファスナーエレメントが同様に縦配向されてしまう。従来のスライドファスナー用スライダーを用いてスライドファスナーを閉鎖する際、スライドファスナー用スライダーの上翼板がその縦配向のファスナーエレメントに衝突してしまい、スライドファスナーの閉鎖を円滑に行うことができない。この点は、特許文献１、２に開示のスライドファスナー用スライダーを用いる場合も同様である。【０００７】
本願発明者は、多様なファスナーテープの縫着態様を許容するスライドファスナー用スライダーを提供するという新たな課題を見出した。なお、ここで言う「多様なファスナーテープの縫着態様」とは、例えば、上述のようにファスナーエレメント列と皮革の間の間隔が狭い縫着態様を包含するが、これ以外の様々な縫着態様も包含する。
【課題を解決するための手段】
【０００８】
本発明の一態様に係るスライドファスナー用スライダーは、上翼板（１１０）と下翼板（１２０）が連結柱（１３０）を介して前側で連結し、前記連結柱（１３０）により分岐される一対のファスナーエレメント（２３０）用の通路が前記上翼板（１１０）と前記下翼板（１２０）の間に設けられたスライダー胴体（１０５）を備えるスライドファスナー用スライダー（１００）であって、前記上翼板（１１０）の前端部（１１１）において、前記スライダー胴体（１０５）の前口（１０６）側から後口（１０７）側に向かうに応じて前記下翼板（１２０）側に下る下り傾斜面（１１５）が前記連結柱（１３０）の左右両側に設けられ、前記下翼板（１２０）の前端部（１２１）において、前記スライダー胴体（１０５）の前口（１０６）側から後口（１０７）側に向かうに応じて前記上翼板（１１０）側に上る上り傾斜面（１２５）が前記連結柱（１３０）の左右両側に設けられ、左右両側において前記上翼板（１１０）の前記下り傾斜面（１１５）が前記下翼板（１２０）の前記上り傾斜面（１２５）よりも急勾配である。【０００９】
前記スライダー胴体１０５の前記通路の内面に平行な平面に対して前記下り傾斜面（１１５）がなす角度をθ１とし、前記通路の内面に平行な平面に対して前記上り傾斜面（１２５）がなす角度をθ２とする時、１．５≦θ１／θ２≦２を満足する、と良い。【００１０】
前記上翼板（１１０）の厚み方向に沿う前記下り傾斜面（１１５）の上下端位置の間隔（ＴＨ１１５）が前記下翼板（１２０）の厚み方向に沿う前記上り傾斜面（１２５）の上下端位置の間隔（ＴＨ１２５）よりも大きい、と良い。【００１１】
前記下り傾斜面（１１５）の下り長さが前記上り傾斜面（１２５）の上り長さよりも長い、と良い。【００１２】
前記上翼板（１１０）には前記スライダー胴体（１０５）の前口（１０６）側から後口（１０７）側に延びて前記ファスナーエレメント（２３０）を左右から規制する一対の上部フランジ部（１１８）が設けられ、各下り傾斜面（１１５）が、前記連結柱（１３０）と前記上部フランジ部（１１８）の間に亘る範囲に設けられる、と良い。【００１３】
前記下翼板（１２０）には前記スライダー胴体（１０５）の前口（１０６）側から後口（１０７）側に延びて前記ファスナーエレメント（２３０）を左右から規制する一対の下部フランジ部（１２８）が設けられ、各上り傾斜面（１２５）が、少なくとも前記連結柱（１３０）と前記下部フランジ部（１２８）の間に亘る範囲に設けられる、と良い。【００１４】
本発明の別態様に係るスライドファスナーは、上述のスライドファスナー用スライダー（１００）と、前記スライドファスナー用スライダー（１００）により開閉される一対のファスナーストリンガー（２００）を備える。
【発明の効果】
【００１５】
本発明によれば、多様なファスナーテープの縫着態様を許容するスライドファスナー用スライダーを提供することができる。
【図面の簡単な説明】
【００１６】
【図１】本発明の第１実施形態に係るスライドファスナー用スライダーを含むスライドファスナーの概略的な正面図である。
【図２】本発明の第１実施形態に係るスライドファスナー用スライダーの概略的な右側面模式図である。
【図３】本発明の第１実施形態に係るスライドファスナー用スライダーの概略的な前側面模式図である。
【図４】本発明の第１実施形態に係るスライドファスナー用スライダーの右側面図の部分拡大模式図である。
【図５】本発明の第１実施形態に係るスライドファスナー用スライダーの右側面図の部分拡大模式図であり、ファスナーエレメントが案内される過程を模式的に示す。
【図６】本発明の第１実施形態に係るスライドファスナー用スライダーの前側面図の部分拡大模式図であり、ファスナーエレメントが案内される過程を模式的に示す。
【図７】本発明の第１実施形態に係るスライドファスナー用スライダーの上翼板の内面を見た概略的な模式図であり、連結柱を断面にて示し、破線で傾斜面と平坦面の境界を示し、また参考のためファスナーエレメントを二点鎖線で示す。
【図８】本発明の第１実施形態に係るスライドファスナー用スライダーの下翼板の内面を見た概略的な模式図であり、連結柱を断面にて示し、破線で傾斜面と平坦面の境界を示す。
【発明を実施するための形態】
【００１７】
以下、図面を参照しつつ、本発明の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、発明説明を主目的とするものであり、適宜、簡略化されている。
【００１８】
本願においては、上下方向、左右方向、及び前後方向は図２及び図３に示すとおりである。すなわち、上下方向は、上翼板と下翼板の間を連結する連結柱の延在方向に合致し、また平行に配置された上翼板と下翼板の横並びの方向にも合致する。左右方向は、上下方向に直交する方向であり、連結柱の左右に２つの前口が設けられる。前後方向は、上下方向及び左右方向に直交する方向である。前方向は、スライドファスナーを閉じるスライドファスナー用スライダーの移動方向に合致する。後方向は、スライドファスナーを開けるスライドファスナー用スライダーの移動方向に合致する。なお、上翼板や下翼板の厚み方向は、上下方向に合致する。なお、以下の説明にて、スライドファスナー用スライダーをスライダーと言うこともある。
【００１９】
＜第１実施形態＞
図１乃至図８を参照して第１実施形態について説明する。図１は、スライドファスナー用スライダーを含むスライドファスナーの概略的な正面図である。図２は、スライドファスナー用スライダーの概略的な右側面模式図である。図３は、スライドファスナー用スライダーの概略的な前側面模式図である。図４は、スライドファスナー用スライダーの右側面図の部分拡大模式図である。図５は、スライドファスナー用スライダーの右側面図の部分拡大模式図であり、ファスナーエレメントが案内される過程を模式的に示す。図６は、スライドファスナー用スライダーの前側面図の部分拡大模式図であり、ファスナーエレメントが案内される過程を模式的に示す。図７は、スライドファスナー用スライダーの上翼板の内面を見た概略的な模式図であり、連結柱を断面にて示し、破線で傾斜面と平坦面の境界を示し、また参考のためファスナーエレメントを二点鎖線で示す。上翼板の内面とは、下翼板に対面する面である。図８は、スライドファスナー用スライダーの下翼板の内面を見た概略的な模式図であり、連結柱を断面にて示し、破線で傾斜面と平坦面の境界を示す。下翼板の内面とは、上翼板に対面する面である。上翼板の内面と下翼板の内面はスライダー胴体のファスナーエレメント用の通路を構成するものであることから、これらの内面を通路の内面と言うこともできる。
【００２０】
本発明の第１実施形態のスライドファスナー５００は、図１に示すように、前後に延長すると共に左右に平行に並べる一対のファスナーストリンガー２００と、一対のファスナーストリンガー２００の対向する左右の側縁部に沿って前後に移動させるスライダー１００とを備える。そしてスライダー１００を前方へ移動させると、一対のファスナーストリンガー２００が閉じ、スライダー１００を後方へ移動させると、一対のファスナーストリンガー２００が開く。なお、図１における上下方向、左右方向、及び前後方向についても、図２、図３に一致している。つまり、前側とは図１での上側であり、後側とは図１での下側である、上側とは図１の紙面に対して手前側であり、下側とは図１の紙面に対して奥側である。右側とは図１での右側であり、左側とは図１での左側である。
【００２１】
本開示に係るスライダー１００は、図１に例示のように、左右一対のファスナーストリンガー２００の各ファスナーエレメント２３０が挿通されて、スライドファスナー５００に組み込まれる。なお、スライドファスナー５００の種類は任意であり、図１に示す如くファスナーエレメントが金属製のファスナーエレメントに限らず樹脂を射出成型したファスナーエレメントを採用したものであっても良く、場合によってはモノフィラメントをコイル状に成形したコイル状ファスナーエレメントを採用したものであっても構わない。なお、金属製のファスナーエレメントや樹脂製のファスナーエレメントは、多数のファスナーエレメントが前後方向に間隔をあけて配置され、ファスナーテープやこれが縫着された部材、例えば皮革の配向に従い個々のエレメントが独立した配向を取る。他方、コイルエレメントは、前後方向に連続するコイル状であり、ファスナーテープの対向側縁に縫着されたものであり、ファスナーテープやこれが縫着された部材、例えば皮革の配向に従ってコイルエレメントの配向が前後方向に連続的に変化する。いずれの形態においても本願発明に係るスライドファスナー用スライダー１００は有効であるが、金属製ファスナーエレメントとの組み合わせの時、より一層の効果が期待される。なぜなら、金属製のファスナーエレメントは、樹脂製のファスナーエレメントやコイル状ファスナーエレメントと比較して材質が硬く、また障壁になりやすい形状を有するためである。金属製のファスナーエレメントは、そのファスナーエレメントの対向端縁があまり面取りされないため、スライダーの上翼板の前面に衝突しやすい。
【００２２】
スライダー１００は、典型的かつ好適には金属製であり、ダイキャスト成形により量産されるが、これ以外、例えば、樹脂製として射出成形により量産しても構わない。
【００２３】
図１に示すように、スライドファスナー５００は、左右一対のファスナーストリンガー２００を含む。左右一対のファスナーストリンガー２００は、左右一対のファスナーテープ２１０を含む。ファスナーテープ２１０は、前後に長く左右に一定幅の扁平な織物や編物であり、その前後端が補強用の樹脂製フィルムにより補強される。左右一対のファスナーテープ２１０の対向側縁にはそれぞれ芯紐２２０が設けられる。芯紐２２０は、ファスナーテープ２１０の対向側縁で膨大の断面視円形状の部分である。左右のファスナーテープの各芯紐２２０にはファスナーエレメント２３０が設けられ、左右一対のファスナーエレメント２３０を構成する。ファスナーエレメント２３０は、芯紐２２０に取り付けられた端部である基部２３１と、この基部２３１の反対側の自由端にある頭部２３２を含む。ファスナーエレメント２３０は、図示のように一定の前後幅で左右に延び、頭部２３２が前方に突出した形状を有する。
【００２４】
左右一対のファスナーエレメント２３０にスライダー１００が挿通された状態でスライダー１００を前方向に移動することにより分離状態の左右のファスナーエレメント２３０が噛合し、左右一対のファスナーストリンガー２００が閉じられ、スライダー１００の後方向に移動することにより噛合状態の左右のファスナーエレメント２３０が分離し、左右一対のファスナーストリンガー２００が開けられる。ファスナーエレメント２３０の頭部２３２は、前側に凸部を有し、この反対側の後側に凹部を有する。スライドファスナー用スライダー１００の前方向への移動により、一方のファスナーストリンガー２００のファスナーエレメント２３０の頭部２３２が他方のファスナーストリンガー２００の２つのファスナーエレメント２３０の間に挿入されて挟み込まれ、この状態で前側のファスナーエレメント２３０の頭部２３２の凹部に係合し、また後側のファスナーエレメント２３０の頭部２３２の凸部に係合する。この現象が前方向に連続して左右一対のファスナーエレメント２３０同士の噛合いが達成される。スライダー１００の後方向への移動により左右のファスナーエレメント２３０の間隔が広げられてその噛合いが解除される。
【００２５】
左右にあるファスナーエレメント２３０のファスナーエレメント列の前端には前止部２４０が設けられる。該ファスナーエレメント列の後端には開離嵌挿具２５０が設けられる。前止部２４０は、典型的にはスライダー１００内に部分的に挿入できるものの、スライダー１００内を通過できない大きさに構成され、これによりスライダー１００の離脱が阻止される。
【００２６】
開離嵌挿具２５０は、箱部２５１、箱棒２５２、及び蝶棒２５３を含む。箱棒２５２は箱部２５１に一体的に連結する。箱部２５１の前に位置合わせされたスライダー１００の右前口に蝶棒２５３を挿し込むことで箱棒２５２と蝶棒２５３が配列し、スライダー１００の前移動により左右のファスナーエレメント２３０を噛み合わせることが可能になる。
【００２７】
スライダー１００は、スライダー胴体１０５の上面に引手取付柱１４０が設けられて成る。引手取付柱１４０は必須ではなく省略可能である。スライダー胴体１０５は、図２乃至図４に示すように、上翼板１１０、下翼板１２０、及び上翼板１１０と下翼板１２０を前側の左右中央で連結する連結柱１３０を含み、連結柱１３０を挟む態様で左右一対の前口１０６を前側に有し、これとは反対側の後側に一つの後口１０７を有する。スライダー胴体１０５は、連結柱１３０により分岐される左右一対のファスナーエレメント用通路を上翼板１１０と下翼板１２０の間に有する。
【００２８】
上翼板１１０は、前側に比べて後側が左右幅狭に構成された平板状部材であり、連結柱１３０の上端が左右中央で連結する前端部１１１とこれとは反対側の後端部１１２を含み、更にその左右端部の後方寄りに下翼板１２０側に向かって凸状の左右一対の上部フランジ部１１８を含む。上翼板１１０は、前端部１１１と後端部１１２の間で平坦な内面１１３を有する。また、上翼板１１０は、左右中央に向って左右両側から緩慢に起伏し、外周においてＲ面に面取りされた上面１１９を有する。
【００２９】
下翼板１２０も上翼板１１０と同様に前側に比べて後側が左右幅狭に構成された平板状部材であり、連結柱１３０の下端が左右中央で連結する前端部１１１とこれとは反対側の後端部１１２を含み、更にその左右端部の後方寄りに上翼板１１０側に向かって凸状の左右一対の下部フランジ部１２８を含む。下翼板１２０は、前端部１２１と後端部１２２の間で平坦な内面１２３を有し、この内面１２３が上翼板１１０の内面１１３に対面する。下翼板１２０の内面１２３は、上翼板１１０の内面１１３と平行に対向配置される。下翼板１２０の内面１２３と上翼板１１０の内面１１３の間にファスナーエレメント２３０の移動路が設けられ、ファスナーエレメント２３０が下翼板１２０の内面１２３上や上翼板１１０の内面１１３上を摺動する。なお、下翼板１２０は、ほぼ平坦であるが外周においてＲ面に面取りされた下面１２９を有する。
【００３０】
上部フランジ部１１８及び下部フランジ部１２８は上下対称に構成される。左右の上部フランジ部１１８は、スライダー胴体１０５の前口１０６側から後口１０７側に延びてファスナーエレメント２３０の通路を左右から規制する。左右の下部フランジ部１２８は、スライダー胴体１０５の前口１０６側から後口１０７側に延びてファスナーエレメント２３０の通路を左右から規制する。図２から理解できるように上部フランジ部１１８の前端１１８１及び下部フランジ部１２８の前端１２８１は連結柱１３０よりも後方にあり、これによりスライダー１００には幅広の前口１０６が左右に設けられる。なお、スライダー１００の後口１０７側に上部フランジ部１１８が後端１１８２を有し、下部フランジ部１２８が後端１２８２を有する。
【００３１】
上翼板１１０の内面１１３と下翼板１２０の内面１２３の上下間隔は、スライダー内でのファスナーエレメント２３０の円滑な移動の確保に照らして適切な上下間隔が設定される。上翼板１１０の内面１１３と下翼板１２０の内面１２３の上下間隔が広すぎると、ファスナーエレメント２３０をスライダー内に簡単に導入することが見込まれるが、スライダー内でのファスナーエレメント２３０の上下方向への変位を十分に規制できず、スライダー内でのファスナーエレメント２３０の安定した移動を確保できないおそれがある。
【００３２】
本実施形態においては、図２乃至図４に示すように上翼板１１０の前端部１１１にはスライダー胴体１０５の前口１０６側から後口１０７側に向かうに応じて下翼板１２０側に下る左右一対の下り傾斜面１１５が連結柱１３０の左右で連結柱１３０を挟む態様で設けられる。また下翼板１２０の前端部１２１にはスライダー胴体１０５の前口１０６側から後口１０７側に向かうに応じて上翼板１１０側に上る左右一対の上り傾斜面１２５が連結柱１３０の左右で連結柱１３０を挟む態様で設けられる。そして、下り傾斜面１１５と上り傾斜面１２５の上下間隔は、スライダー胴体１０５の前口１０６側から後口１０７側に向かうに応じて漸減する。そして更に、上翼板１１０の下り傾斜面１１５が下翼板１２０の上り傾斜面１２５よりも急勾配である。
【００３３】
かかる構成によれば、図５及び図６から把握できるように芯紐２２０から離れた頭部２３２は、芯紐２２０を円形と仮定し、その中心に対して上方向および下方向に遥動する可能性があるが、特にスライドファスナーを閉じる際に、スライダー１００を前方向に移動させると、ファスナーエレメント２３０の頭部２３２は、上方向に遥動した状態になり、その頭部２３２を急勾配な下り傾斜面１１５で導入時に比較的急に押下げ、他方、芯紐２２０に近接する基部２３１に関しては下り傾斜面１１５より緩い勾配の上り傾斜面１２５で導入時に徐々に押し上げ、ファスナーエレメント２３０の回転を上手く促進してファスナーエレメント２３０が図６に示すように頭部２３２が傾いた状態から、上翼板１１０の内面と下翼板１２０の内面との間に入り込める姿勢になるように修正できる。ファスナーエレメント２３０の頭部２３２は下り傾斜面１１５上を下るに応じて下り傾斜面１１５により徐々に押下げられ、ファスナーエレメント２３０の基部２３１は上り傾斜面１２５を上るに応じて上り傾斜面１２５により徐々に上方に押し上げられ、ファスナーエレメント２３０の全体として図６の点線矢印に示す時に時計周りに回転する。
【００３４】
特許文献１の場合、上翼板１１０の前端部１１１の内面に上部傾斜面が設けられ、下翼板１２０の前端部１２１の内面に下部傾斜面が設けられる。しかしながら、これらの上部傾斜面や下部傾斜面には勾配が同じ程度であるため、近年求められているようなファスナーテープの露出を減少させる用途では、ファスナーエレメント２３０の姿勢の修正を十分に行えない場合があった。
【００３５】
冒頭で例示的に述べたように、ファスナーテープよりも低柔軟性の所定厚の皮革に対してファスナーテープを縫着する場合、美観向上のためにファスナーエレメント列と皮革の間の間隔を狭くする場合があり、ファスナーテープの柔軟性の利点を享受することができず、ファスナーテープが縫着された皮革部分の配向に従ってファスナーエレメントが配向されてしまう場合がある。この点は、水平横に寝た配向の２つの皮革の間にスライドファスナーを設けるのではなく垂直縦に起きた配向の２つの皮革の上端部間にスライドファスナーを設ける場合に特に問題であり、皮革の縦配向に応じてファスナーエレメントが同様に縦配向になってしまうおそれがある。
【００３６】
本実施形態によれば、上述のように下り傾斜面１１５がファスナーエレメント２３０の頭部２３２を積極的に押下げてファスナーエレメント２３０の回転を促進し、好適な形態において上り傾斜面１２５がその回転を補助し、これにより、上述の例示の場合を含むファスナーテープの様々な縫着態様を許容するスライダーを提供することができる。なお、図６に示す場合、芯紐２２０の中心から頭部２３２の最上点までの距離Ｌ８０は、芯紐２２０の中心から基部２３１の最下点までの距離Ｌ９０よりも長く、およそ２倍である。
【００３７】
必須ではないが、次の条件を満足することが好ましい。図４に示すように、上翼板１１０の側面には第１型割線ＤＬ１１が残存し、下翼板１２０の側面にはと第２型割線ＤＬ１２が残存する。なお、型割線は、異なる金型を型合わせした時、その境界に形成される線である。型割線は、連結柱１３０が直交する任意の平面の一つに存在することが理解できる。
【００３８】
第１型割線ＤＬ１１は、連結柱１３０が直交する任意の平面の一つに存在し、図２に示すように、この平面若しくはこれに平行な平面に対して下り傾斜面１１５がなす角度をθ１とする。第２型割線ＤＬ１２は、連結柱１３０が直交する任意の平面の一つに存在し、図２に示すように、この平面若しくはこれに平行な平面に対して上り傾斜面１２５がなす角度をθ２とする。この時、１．５≦θ１／θ２≦２を満足すると良い。
【００３９】
θ１／θ２＜１．５の場合、下り傾斜面１１５によるファスナーエレメント２３０の頭部２３２の十分な押下げが促進できないことが見込まれる。他方、２＜θ１／θ２の場合、上翼板１１０の厚さが不要に厚くなり、スライダー１００の操作性が悪化し、またその見栄えも悪くなることが見込まれる。上翼板１１０の厚みが厚くなると、引手取付柱１４０の位置も高くなり、引手の操作によるスライダーに付与されるモーメントも変動する。上述の条件を満足することによりこれらの不都合を回避しつつ、ファスナーエレメント２３０の回転をより好適に促進することができる。なお、図２には模式的に第１型割線ＤＬ１１に平行な平面ＰＬ１を図示し、第２型割線ＤＬ１２に平行な平面ＰＬ２を図示する。
【００４０】
なお、第１型割線ＤＬ１１と第２型割線ＤＬ１２が互いに平行に存在し、従って、第１型割線ＤＬ１１を第２型割線ＤＬ１２に読み替え、これとは逆に第２型割線ＤＬ１２を第１型割線ＤＬ１１で読み替えても良い。型割線が一つのみある場合も考えられ、この場合、第１型割線ＤＬ１１と第２型割線ＤＬ１２の一方が省略され、若しくは両方が省略されて別の位置の型割線が参照される。
【００４１】
なお、好適にはθ１＝４０°以上６０°以下、θ２＝２０°以上４０°以下であり、より好適にはθ１＝４５°以上５５°以下、θ２＝２５°以上３５°以下であり、更により好適にはθ１＝５０°であり、θ２＝３０°である。第１型割線ＤＬ１１や第２型割線ＤＬ１２が存在する平面若しくはこれに平行な平面に代えて上翼板１１０の内面１１３や下翼板１２０の内面１２３が存在する平面若しくはこれに平行な平面と読み替えても良い。若しくは、それに代えて連結柱１３０の延在方向に直交する任意の平面と読み替えても良い。いずれの場合も同様に説明できる。
【００４２】
上述の条件に追加的又は代替的に、次の条件を満足することが好ましい。図３に示すように、左右両側において上翼板１１０の厚み方向に沿う下り傾斜面１１５の上下端位置の間隔ＴＨ１１５が下翼板１２０の厚み方向に沿う上り傾斜面１２５の上下端位置の間隔ＴＨ１２５よりも大きく、間隔ＴＨ１１５＞間隔ＴＨ１２５を満足する。間隔ＴＨ１２５と比較して間隔ＴＨ１１５を相対的に厚くすることにより、より前後に長い急勾配な下り傾斜面１１５を確保できる。
【００４３】
なお、図３においては、下り傾斜面１１５の上端位置に存在する平面ＰＬ１１５ａが図示され、下り傾斜面１１５の下端位置に存在する平面ＰＬ１１５ｂが図示されている。また、上り傾斜面１２５の上端位置に存在する平面ＰＬ１２５ａが図示され、上り傾斜面１２５の下端位置に存在する平面ＰＬ１２５ｂが図示されている。平面ＰＬ１１５ａ、ＰＬ１１５ｂ、ＰＬ１２５ａ、及びＰＬ１２５ｂは、連結柱１３０の延在方向に一致する上下方向が垂直に交差する平面であり、互いに平行に配列される。
【００４４】
下り傾斜面１１５の上端若しくはその上端位置は、下り傾斜面１１５の上方向の終端若しくは終端位置である。下り傾斜面１１５とこれよりも上にある上翼板１１０の面との間に境界線や境界縁が見えれば、この位置を下り傾斜面１１５の上端位置と理解しても良い。図示の場合、下り傾斜面１１５の上端位置は、下り傾斜面１１５と上面１１９を接続する面と、下り傾斜面１１５自体の間の境界縁の位置である。境界縁に上下幅があれば、その範囲内の任意の点を下り傾斜面１１５の上端位置と把握しても良い。境界縁の上下幅の最も上側又は下側の位置を下り傾斜面１１５の上端位置と把握しても良い。
【００４５】
下り傾斜面１１５の下端若しくはその下端位置は、下り傾斜面１１５の下方向の終端若しくは終端位置である。下り傾斜面１１５とこれよりも下にある上翼板１１０の面との間に境界線や境界縁が見えれば、この位置を下り傾斜面１１５の下端位置と理解しても良い。図示の場合は、下り傾斜面１１５の下端位置は、下り傾斜面１１５と内面１１３の間の境界縁の位置である。境界縁に上下幅があれば、その範囲内の任意の点を下り傾斜面１１５の下端位置と把握しても良い。境界縁の上下幅の最も上側又は下側の位置を下り傾斜面１１５の下端位置と把握しても良い。
【００４６】
上り傾斜面１２５の上端若しくはその上端位置は、上り傾斜面１２５の上方向の終端若しくは終端位置である。上り傾斜面１２５とこれよりも上にある下翼板１２０の面との間に境界線や境界縁が見えれば、この位置を上り傾斜面１２５の上端位置と理解しても良い。図示の場合は、上り傾斜面１２５の上端位置は、上り傾斜面１２５と内面１２３の間の境界縁の位置である。境界縁に上下幅があれば、その範囲内の任意の点を上り傾斜面１２５の上端位置と把握しても良い。境界縁の上下幅の最も上側又は下側の位置を上り傾斜面１２５の上端位置と把握しても良い。
【００４７】
上り傾斜面１２５の下端若しくはその下端位置は、上り傾斜面１２５の下方向の終端若しくは終端位置である。上り傾斜面１２５とこれよりも下にある下翼板１２０の面との間に境界線や境界縁が見えれば、この位置を上り傾斜面１２５の下端位置と理解しても良い。図示の場合は、上り傾斜面１２５の下端位置は、下面１２９と上り傾斜面１２５を接続する面と、上り傾斜面１２５自体の間の境界縁の位置である。境界縁に上下幅があれば、その範囲内の任意の点を上り傾斜面１２５の下端位置と把握しても良い。境界縁の上下幅の最も上側又は下側の位置を上り傾斜面１２５の下端位置と把握しても良い。
【００４８】
必ずしもこの限りではないが、間隔ＴＨ１１５＞間隔ＴＨ１２５を満足する場合において、間隔ＴＨ１１５が１．０ｍｍ以上かつ２．０ｍｍ以下であり、間隔ＴＨ１２５が０．５ｍｍ以上かつ１．０ｍｍ以下であることが好ましい。
【００４９】
なお、好適な図示の形態においては、上翼板１１０における最大厚ＴＨ１１０＞下翼板１２０における最大厚ＴＨ１２０である。上翼板１１０の厚みの増加により下り傾斜面１１５の急勾配や十分な下り長さを確保することができる。
【００５０】
一般的なスライダー１００は、上翼板１１０と下翼板１２０の各厚みを等しくすることが慣例的に行われている。従って、実のところ、本願発明者にとっても上翼板１１０や下翼板１２０の厚みを調整することは甚だ選択肢になっていなかった。しかしながら、上述した下り傾斜面１１５によるファスナーエレメント２３０の頭部２３２の押下げの確保のためには下り傾斜面１１５の勾配を急にすること好ましく、また、この急勾配の下り傾斜面１１５のある程度の長さの確保のためには上翼板１１０の厚みを増加することが有効であり、従って、上述のように上翼板１１０の最大厚ＴＨ１１０＞下翼板１２０の最大厚ＴＨ１２０とした。
【００５１】
なお、上翼板１１０や下翼板１２０対して付加的な構造を付与することによりこれらの最大厚を意図的に変更することも考えられる。かかる観点を踏まえると、上翼板１１０の厚み方向に沿う下り傾斜面１１５の上下端位置の間隔ＴＨ１１５＞下翼板１２０の厚み方向に沿う上り傾斜面１２５の上下端位置の間隔ＴＨ１２５の条件の満足がより本質的である。
【００５２】
上述した様々な条件に対して追加的又は代替的に次の条件を満足することが更に好ましい。つまり、下り傾斜面１１５の下り長さが上り傾斜面１２５の上り長さよりも長い、と良い。下り傾斜面１１５の下り長さは、下り方向における下り傾斜面１１５の長さである。上り傾斜面１２５の上り長さは、上り方向における上り傾斜面１２５の長さである。より前後に長い急勾配な下り傾斜面１１５によりファスナーエレメント２３０の頭部２３２をより十分に押下げることが期待できる。
【００５３】
この点に関して図４を参照して補足的に説明する。図４に示すように第１型割線ＤＬ１１と第２型割線ＤＬ１２に対して垂直であり前後方向に間隔があいた一組の平面ＰＬ２１、ＰＬ２２を観念する。一組の平面ＰＬ２１、ＰＬ２２により下り傾斜面１１５の一部１１５ｍが切り出され、上り傾斜面１２５の一部１２５ｍが切り出される。下り傾斜面１１５の一部１１５ｍの長さＬ１１５は、上り傾斜面１２５の一部１２５ｍの長さＬ１２５よりも長い。これから下り傾斜面１１５の下り長さが上り傾斜面１２５の上り長さよりも長いことが裏付けられる。
【００５４】
なお、好適な図示の形態においては、図７に端的に示すように、左右一対の下り傾斜面１１５の各々が、少なくとも連結柱１３０と上部フランジ部１１８の間に亘る範囲で一定の勾配及び下り方向における一定の長さで設けられる。スライダー１００の前口１０６に対して変動する姿勢を取るファスナーエレメント２３０に対してより一様な姿勢制御を提供することが期待できる。下翼板１２０に関しても同様であり、図８に端的に示すように、左右一対の上り傾斜面１２５の各々が、少なくとも連結柱１３０と下部フランジ部１２８の間に亘る範囲で一定の勾配及び上り方向における一定の長さで設けられ、同様の効果を期待できる。
【００５５】
図７に示すように、左右一対の下り傾斜面１１５が連結柱１３０により分断されたＵ字状であり、左側の下り傾斜面１１５と右側の下り傾斜面１１５は正面視にて、連結柱１３０の左右から上部フランジ部１１８に向けて弧状に延在し、連結柱１３０を挟んで対称に配置される。上り傾斜面１２５に関しても同様であり、図８に示すように、左右一対の上り傾斜面１２５が連結柱１３０により分断されたＵ字状であり、左側の上り傾斜面１２５と右側の上り傾斜面１２５は正面視にて、連結柱１３０の左右から上部フランジ部１１８に向けて弧状に延在し、連結柱１３０を挟んで対称に配置される。図７及び図８の対比から把握できるようにＵ字状の上り傾斜面１２５の正面視形状は、Ｕ字状の下り傾斜面１１５の正面視形状に合同である。このように、下り傾斜面１１５および上り傾斜面１２５が弧状に延在しているため、スライダー胴体１０５の通路にファスナーエレメント２３０が入るときに、ファスナーエレメント２３０の頭部２３２が、基部２３１よりも先に下り傾斜面１１５に接触して姿勢の修正を促し、さらにファスナーエレメント２３０が入ろうとしたときに、基部２３１が上り傾斜面１２５に接触することで、さらに姿勢の修正を促すため、円滑な姿勢の修正が可能である。
【００５６】
図７及び図８の対比から理解できるように、下り傾斜面１１５と上り傾斜面１２５が上下に重複して設けられたファスナーエレメント２３０の姿勢修正領域が設けられる。下り傾斜面１１５と内面１１３間の境界線１１６と上り傾斜面１２５と内面１２３の間の境界線１２６が上下対称であり、これらを境界に前側のファスナーエレメント姿勢修正領域とその後側のファスナーエレメント案内領域が区分される。ファスナーエレメント案内領域は、ファスナーエレメント用の通路と言うこともできる。
【００５７】
下り傾斜面１１５及び上り傾斜面１２５は金属平坦面であり光源、例えば太陽や蛍光灯からの光を受けて反射する反射面である。下り傾斜面１１５は内面１１３に対して異なる角度を有し、上り傾斜面１２５も内面１２３に対して異なる角度を有し、従って、これらが反射面として明瞭に視認することができるだろう。なお、反射面は、鏡面処理された鏡面や何らの処理も為されていない粗面を包含する。
【００５８】
下り傾斜面１１５が急勾配であり、他方では上り傾斜面１２５が緩勾配である。従って、ある照明条件下において、下り傾斜面１１５と内面１１３の間の縁部のほうが上り傾斜面１２５と内面１２３の間の縁部よりも視認しやすいかもしれない。なお、下り傾斜面１１５と内面１１３の間の縁部は、境界線１１６の位置に設けられる。上り傾斜面１２５と内面１２３の間の縁部は、境界線１２６の位置に設けられる。
【００５９】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【００６０】
１００            スライドファスナー用スライダー
１０５            スライダー胴体
１０６            前口
１０７            後口
１１０            上翼板
１２０            下翼板
１３０            連結柱
１１５            下り傾斜面
１２５            上り傾斜面
【図１】
2015097793.tif 000003
【図２】
2015097793.tif 000004
【図３】
2015097793.tif 000005
【図４】
2015097793.tif 000006
【図５】
2015097793.tif 000007
【図６】
2015097793.tif 000008
【図７】
2015097793.tif 000009
【図８】
2015097793.tif 000010
【国際調査報告】
2015097793.tif 000011
2015097793.tif 000012
2015097793.tif 000013
2015097793.tif 000014